Podtech/llm-jp-corpus-v4-ja_patent huggingface dataset:
(57)【要約】      （修正有）【課題】手袋を装着したままの状態で指先の出し入れのできる切れ込みの付いた手袋を、丈夫で繊維がほつれにくく、そして製造しやすい形で提供する。【解決手段】繊維製手袋の指袋３に、伸縮性のある樹脂を用いたほつれ防止剤が塗布された補強部２を設ける。そして、補強部２の範囲内に、指先の出し入れができる程度のカーブ状の切れ込み部１を設ける。【選択図】図１
0003216925.tif 000002
【実用新案登録請求の範囲】
【請求項１】
繊維製手袋の指袋部分に、伸縮性のある樹脂などのほつれ防止剤が塗布され、その範囲内に指先の出し入れができる程度の切れ込みが設けられている手袋。
【請求項２】
手袋の指袋部分に、Ｖ字やＵ字のようなカーブ状の切れ込みが施されている手袋。
【考案の詳細な説明】
【技術分野】
【０００１】  本考案は、繊維製手袋の指袋部分に、伸縮性のある樹脂などのほつれ防止剤が塗布され、その範囲内に指先の出し入れができる程度のカーブ状の切れ込みを設けることによって、手袋を装着したままの状態で指先の出し入れが容易にできると共に、丈夫で繊維がほつれにくい切れ込み付きの手袋を提供しようとするものである。
【背景技術】
【０００２】  本来手袋は手を保護する目的で使用されるものである。よって手袋の装着時には指先を用いて細かな作業を行うことは難しく、これを解決するために指先部分が切断された手袋や、また指袋部分にスリットや穴を設けた手袋などが考案されていた。
【先行技術文献】
【特許文献】
【０００３】
【特許文献１】特開平１１−１５８７１５
【考案の概要】
【考案が解決しようとする課題】
【０００４】  指先部分が切断された手袋の場合では、常に指先が露出されており、これでは指先を保護する目的は達成できない。また、指袋部分にスリットや穴を設けた手袋の場合においても、実際の製作に手間がかかってしまうという課題が生じていた。特に繊維製手袋の場合、手袋が編まれて完成した後に、手袋の一部を切ってスリットや穴を設けるとなれば、繊維が切断され、ほつれてしまい、手袋の形状を維持できなくなってしまう。よって、スリットや穴の形状を維持するための複雑な縫合方法を別に考案して実施する必要があり、このため手軽に、そして丈夫なものを製造して提供することは実際には困難であった。本考案は、このような課題を解決しようとするものである。
【課題を解決するための手段】
【０００５】  本考案においては、手袋の指袋部分に伸縮性のある樹脂などのほつれ防止剤が塗布され、その範囲内に指先の出し入れができる程度のカーブ状の切れ込みが設けられている。
【考案の効果】
【０００６】  これにより、指袋の先端をつまんで動かし、指先を切れ込み部分から露出させることができ、細かな作業を行うことができる。また作業後は指袋を元の状態に戻すことで、手の全体を保護する一般的な手袋として使うこともできる。【０００７】  また、これらの使用を繰り返しても、切れ込み部分とその周辺の強度が増しているため、繊維のほつれも生じにくくなる。【０００８】  また、切れ込み部分が複雑な縫合方法によって設けられるわけではないため、比較的容易に製造することも可能となる。【０００９】  また、切れ込みをカーブ状に施すことで指の出し入れがしやすくなり、使用感も向上する。
【図面の簡単な説明】
【００１０】
【図１】本考案の斜視図である。
【図２】本考案の実施形態の一例を示した図である。
【考案を実施するための形態】
【００１１】  図面を参照して本考案の実施形態を説明する。図１に示すように繊維製手袋の指袋（３）に、伸縮性のある樹脂などのほつれ防止剤が塗布された補強部（２）を設ける。そして補強部（２）の範囲内に、指先の出し入れができる程度のカーブ状の切れ込み部（１）を設ける。少なくとも親指と人差し指を収容する指袋に設けるものとするが、５本の指の全てに設けても良い。
【００１２】  通常は一般的な手袋として使用するが、細かな作業を行いたい場合には図２に示すように指袋の先端（４）をつまんで動かし、指先（５）を切れ込み部（１）から露出させて使用する。
【符号の説明】
【００１３】  １    切れ込み部
２    補強部
３    指袋
４    指袋の先端
５    指先
【図１】
0003216925.tif 000003
【図２】
0003216925.tif 000004
【手続補正書】
【提出日】平成30年4月16日(2018.4.16)
【手続補正１】
【補正対象書類名】実用新案登録請求の範囲
【補正対象項目名】全文
【補正方法】変更
【補正の内容】
【実用新案登録請求の範囲】
【請求項１】
繊維製手袋の指袋部分に、伸縮性のあるゴムや樹脂を用いたほつれ防止剤が塗布され、その範囲内に指先の出し入れができる程度の切れ込みが設けられている手袋。
【請求項２】
請求項１記載の手袋の指袋部分に、Ｖ字やＵ字のようなカーブ状の切れ込みが施されている手袋。
(57)【要約】      （修正有）【課題】つま先に貼り付けるパッドであって、頻繁に交換する必要がなく、しかも、貼る場所を限定するため、つま先が窮屈にもならないつま先保温パッド、およびそれを貼付した履き物を提供する。【解決手段】表面側に保温素材を有し、裏面側に粘着性素材を有するパッド２であって、履物１のつま先側甲部及びつま先側底部の少なくとも２か所に貼付して使用する。保温素材が起毛素材及び吸湿発熱素材のいずれかであるのが好ましい。また粘着性素材は自己粘着性素材であるのが好ましい。【選択図】図１
0003216931.tif 000002
【実用新案登録請求の範囲】
【請求項１】
表面側に保温素材（２１）を有し、裏面側に粘着性素材（２２）を有するパッド（２）であって、履物（１）のつま先側甲部及びつま先側底部の少なくとも２か所に貼付して使用されるつま先保温パッド（２）。
【請求項２】
前記パッド（２）が前記２か所に貼付して使用される請求項１記載のつま先保温パッド。
【請求項３】
前記保温素材（２１）が起毛素材及び吸湿発熱素材のいずれかである請求項１又は２記載のつま先保温パッド。
【請求項４】
前記粘着性素材（２２）が自己粘着性素材である請求項１〜３のいずれかに記載のつま先保温パッド。
【請求項５】
請求項１〜４のいずれかに記載のつま先保温パッド（２）をつま先側甲部及びつま先側底部の２か所に貼付してなる履物（１）。
【考案の詳細な説明】
【技術分野】
【０００１】
本考案は履物の内部でつま先を保温するパッドに関する。「履物」は、屋外で使用する靴類だけでなく、つま先が覆われている形式のものなら室内で使用するスリッパ類も含む。
【背景技術】
【０００２】
寒い季節や寒冷地においては、履物を履いていてもつま先が冷たくなることはだれでも経験していることである。この問題を解決するために、履物のつま先部にカイロを貼りつける考案（実開平３-２９１１９）やつま先部にドーム型のキャップのようなものをかぶせる考案（実開平４-１１０５０５）が知られている。
【先行技術文献】
【特許文献】
【０００３】
【特許文献１】実開平３-２９１１９
【特許文献２】実開平４-１１０５０５
【考案の概要】
【考案が解決しようとする課題】
【０００４】
上記実開平３-２９１１９は、カイロを頻繁に交換する必要があり、わずらわしい。また、カイロは薄いようでもそれなりに厚みがあって、つま先が窮屈となりやすい。上記実開平４-１１０５０５も、つま先がドーム型のキャップに当たるため、つま先が窮屈に感じられるかもしれない。
【０００５】
本考案は、つま先に貼り付けるパッドであって、頻繁に交換する必要がなく、しかも、貼着場所を限定するため、つま先が窮屈にもならないようなものを提供することを目的とする。
【課題を解決するための手段】
【０００６】
本考案は、表面側に保温素材を有し、裏面側に粘着性素材を有するパッドであって、履物のつま先側甲部及びつま先側底部の少なくとも２か所に貼付して使用するためのつま先保温パッドである。２か所以上使用してもよいが通常は２か所で十分であるし、多数使用すれば上記実開平４-１１０５０５の考案に近づいてつま先が窮屈になる。
【０００７】
前記保温素材としては、起毛素材や吸湿発熱素材を使用することが好ましい。起毛素材としては、それ自体公知の市販品を使用することができ、例えば、フランネル、スエード、ベロア等を使用することができる。吸湿発熱素材としては、アクリル繊維やレーヨン繊維を改質した繊維などがあげられる。具体的には、ユニクロ社製「ヒートテック（登録商標）」東洋紡社製の「エクス（登録商標）」、旭化成社製の「ベンベルグ（登録商標）」、美津濃社製の「ブレスサーモ（登録商標）」などを用いることができる。
【０００８】
前記粘着性素材としては、どのようなものでもよいが、自己粘着性素材が好ましい。自己粘着性素材は、素材自体が粘着性を有するので、履物内にのり残りやのり移りがなくきれいにはがれ何度でも再使用できる。自己粘着性素材としては、自己粘着性塩化ビニル系樹脂シート、自己粘着性オレフィン系樹脂シート、自己粘着性エラストマーシートなどが使用できるが、これらに限らない。なお、安価版として、両面テープで貼り付けてもよい。
【０００９】
パッドの大きさや形状は、履物のつま先部分のスペースにより自ずから限定されてくるが、例えば、縦横それぞれ５〜１０ｃｍ程度の円形、楕円形、多角形とすることができる。
【考案の効果】
【００１０】
本考案によれば、有効時間が限定されているカイロなどと異なり、パッドをいったん付着させれば少なくとも１週間程度の継続使用が可能である。また、貼着場所が履物のつま先側甲部及びつま先側底部の通常２か所であるため、つま先が窮屈にもならない。
【００１１】
以下、添付の図面に基づき、本考案の１実施例を説明する。
【図面の簡単な説明】
【００１２】
【図１】本考案の１実施例であるつま先保温パッドを装着している靴の斜視図である。
【図２】同つま先保温パッドの（ａ）正面図、（ｂ）背面図、（ｃ）側面図である。
【図３】同つま先保温パッドを装着した靴を履いている状態を示す断面図である。
【実施例１】
【００１３】
図１に示すように、このつま先保温パッド２は、履物１のつま先側甲部及びつま先側底部の２か所に貼付して使用する。大きさは、縦７ｃｍ、横９ｃｍの楕円形である。
【００１４】
このつま先保温パッド１は、図２に示すように、表面側に保温素材２１を有し、裏面側に粘着性素材２２を有する。
【００１５】
表面側の保温素材２１としては、起毛素材を使用している。裏面側の粘着性素材２２としては自己粘着性素材を使用している。
【００１６】
このつま先保温パッド２は、予め２枚を１セットとして単数又は複数セットにして販売することができるし、多数枚として一括販売することもできる。
【符号の説明】
【００１７】
１     履物
２     つま先保温パッド
２１   保温素材
２２   粘着性素材
【図１】
0003216931.tif 000003
【図２】
0003216931.tif 000004
【図３】
0003216931.tif 000005
(57)【要約】      （修正有）【課題】背景と下地のあるスタジオが作れ、壁のないところでも安定した撮影をすることができる写真撮影用ボードスタンドを提供する。【解決手段】写真撮影用ボードスタンド１は、切り込みと鉛直溝がある鉛直板と上面に水平溝がある水平板の組み合わせであって、溝があるスタンド本体２に写真撮影用下地ボード３を該水平溝に差し込み、かつ写真撮影用背景ボード４を該鉛直溝に差し込んで、下地と背景を作ったことを特徴とする。下地板が水平になるために下に２本の棒をいれて安定させて、壁がないところでも安定して撮影できる。【選択図】図１
0003216940.tif 000002
【実用新案登録請求の範囲】
【請求項１】
切り込みと鉛直溝がある鉛直板と上面に水平溝がある水平板の組み合わせであって、溝があるスタンド本体に写真撮影用下地ボードを該水平溝に差し込み、かつ写真撮影用背景ボードを該鉛直溝に差し込んで、下地と背景を作ったことを特徴とする写真撮影用ボードスタンド。
【請求項２】
スタンド本体が左右に分割していることを特徴とする請求項１の写真撮影用ボードスタンド。
【請求項３】
水平の写真撮影用下地板には筋が入っていることを特徴とする請求項１もしくは２の写真撮影用ボードスタンド。
【請求項４】
鉛直の写真撮影用背景板には筋が入っていることを特徴とする請求項１もしくは２の写真撮影用ボードスタンド。
【考案の詳細な説明】
【技術分野】
【０００１】本考案は写真撮影の際に効果的、安定的に撮影ができるようにした写真撮影用ボードスタンドに関するものである。
【背景技術】
【０００２】壁のないところで撮影する場合、写したくない場所が映ったり、場所に限りがある。
【考案の概要】
【考案が解決しようとする課題】
【０００５】限られた場所で撮影することは期待する写真を撮ることが限られる。
【課題を解決するための手段】
【０００６】本考案は写真撮影用ボードスタンドに写真撮影用ボードを設置し、スタジオを作ることで問題解決をすることを特徴とする。
【考案の効果】
【０００７】  写真撮影用背景と下地ボードを写真撮影用ボードスタンドに固定することで、写真を撮りやすくする空間を作ることができ、雰囲気のある写真が簡単に撮れ、余計なものが映らず、写真撮影用ボードが倒れない。
【図面の簡単な説明】
【０００８】
【図１】本考案の写真撮影用スタンドの斜視図である。
【図２】本考案の写真撮影用スタンド本体の構造を説明する図である。
【考案を実施するための形態】
【０００９】写真撮影用スタンドは写真撮影用ボード２枚を差し込み、下地と背景のスタジオを簡単に作ることができる。写真撮影用ボードと写真撮影用ボードスタンドがあれば、カメラで撮りたい被写体をどこでも撮影できる。
【実施例】
【００１０】本考案の一実施例は、上述の如き構成からなるものであるから、スタンドを設置して、写真撮影用ボードを差し込み、スタジオを簡単に作ることができる。差し込むことにより、写真撮影用ボードが安定して設置できる。撮影したい楽しい場面が場所を選ばず簡単に作ることができ、撮影の楽しみが広がる。
【符号】
【００１１】１  写真撮影用ボードスタンド
２  写真撮影用ボードスタンド本体
２−１  鉛直方向の溝
２−２  垂直方向の溝
２−３  切り込みが入った部分
２−２写真撮影用ボードスタンド本体
３  写真撮影用下地ボード
４  写真撮影用背景ボード
５  脚部
【図１】
0003216940.tif 000003
【図２】
0003216940.tif 000004
(57)【要約】      （修正有）【課題】開放的であるにもかかわらず、防犯対策としても有効であり、また、出っ張り形状であっても、建物躯体に対する取付けの安定性を確保できる面格子を提供する。【解決手段】上下に横長に設けられる支持部材１に対して縦材としての多数の立格子３を間隔６おきに配列してなる面格子Ｐにおいて、上下支持部材１を前方へ凸において弓形のアール曲げ形状に形成することにより、それに固着される立格子３の配列が幅中央部に張り出す膨出形状であって、上下支持部材１の両端に建物躯体に対して固着する取付部７を設けた。【選択図】図１
0003216470.tif 000002
【実用新案登録請求の範囲】
【請求項１】
上下に横長に設けられる支持部材に対して縦材としての多数の立格子が間隔おきに配列してなる面格子において、上下支持部材を前方へ凸において弓形のアール曲げ形状に形成することにより、それに固着される立格子の配列が幅中央部に張り出す膨出形状であって、上下支持部材の両端に建物躯体に対して固着する取付部を設けたことを特徴とする面格子。
【請求項２】
立格子の膨出した配列について、窓際の巾中央位置となる箇所を仮想部として設定し、配列対象の支持部材が該仮想部を中心とする円弧に沿ったアール曲げ形状であることを特徴とする請求項１記載の面格子。
【請求項３】
立格子は巾を有する板状もしくは矩形断面形状であって、前記ほぼ仮想部を通る視覚線方向に前記巾が設定されていることを特徴とする請求項２記載の面格子。
【考案の詳細な説明】
【技術分野】
【０００１】
この考案は、縦材としての多数の立格子が配列されてなり、窓の外側に据え付けられる面格子に関する。
【背景技術】
【０００２】
従来の面格子は、支持部材としての横桟に立格子を均一に面して直列に配列したもので、窓の外側に封じるように据え付けられ閉鎖的であったので、息抜きするために窓を開いてもその目的を達成しがたかった。また、窓は近距離であったことから、侵入者が立格子間に手を差し入れると窓ガラスに到達するので、それを破って裏側にあるクレセントを操作する犯行を招きやすかった。
【考案の概要】
【考案が解決しようとする課題】
【０００３】
従来の面格子は、上記のような侵入者に対する防犯対策に重点がおかれる関係から、立格子間の間隔を出来るだけ狭く設定され、これで閉鎖的であることは避けられなかった。また、クレセントを操作しにくくするために、窓との距離をアーム等を介して多くとるとすると支持が安定しなくなるという問題があった。
【０００４】
この考案は、上記のような実情に鑑みて、開放的であるにもかかわらず、防犯対策としても有効であり、また、出っ張り形状であっても、建物躯体に対する取付けの安定性を確保できる面格子を提供することを課題とした。
【課題を解決するための手段】
【０００５】
上記の課題を解決するために、この考案は、上下に横長に設けられる支持部材に対して縦材としての多数の立格子を間隔おきに配列してなる面格子において、上下支持部材を前方へ凸において弓形のアール曲げ形状に形成することにより、それに固着される立格子の配列が幅中央部に張り出す膨出形状であって、上下支持部材の両端に建物躯体に対して固着する取付部を設けたことを特徴とする面格子を提供する。
【０００６】
面格子を上記のように構成したから、上下支持部材の両端の取付部を窓際の柱などにビス止めして取り付けられる。取付状態を室内側から見ると立格子が幅中央に出っ張っているので、立格子の間隔が視覚上開けて広く見通しやすく開放感がある。しかし、防犯に関しては、クレセントに対して室外側から見て距離があるので、手を差し入れて操作される危険が防止される。
【考案の効果】
【０００７】
以上説明したように、この考案の面格子によれば、外を眺める開放感があり、開放感があるにもかかわらず、クレセント等を操作され難く防犯として安全性が高く、開放性と防犯との両性能を合わせ持っており、また、建物躯体に対して上下で直接固定となるため、安定した据え付けになり取付け作業も容易であるという優れた効果がある。
【図面の簡単な説明】
【０００８】
【図１】この考案の面格子を据え付け状態において同程度の高さで斜め横から見た斜視図である。
【図２】同面格子の一部を拡大して示す斜視図である。
【図３】開放性および防犯性を説明するために提示するこの考案の面格子の平面図である。
【考案を実施するための形態】
【０００９】
この考案の面格子は、防犯に有効であるが、アールに囲まれる下端部に棚を設けることにより、花や草などを置くことができ、肩ぐるしい防犯だけでない利用ができる。また、エクステリアやインテリアのおしゃれ感を重ね合わせたことで住宅への違和感がなくなり，販促に役立つことが考えられる。
【００１０】
なお、支持部材１や立格子３の材質については特に制限するものではなく、また、相互の結合には例えばリベットやビス等が用いられる。また、図面では左右柱８，８の間に土台１２とまぐさ１４を仮設して窓Wが構成されるが、内部の障子付きサッシは図示を省略する。
【実施例】
【００１１】
図１および図２は、一実施例を示し、その面格子Pは、上下一対の支持部材１，１の外側に立格子３，３、・・がリベットにより止めることにより一定の間隔６おきに配列される。
【００１２】
支持部材１，１は、アルミの帯状押出形材からなり、窓の両端から張り出す円弧のアール曲げ形状にプレス成型され、両端に取付部７，７が屈折して設けられる。取付部７には、柱８に螺入するビス９の通し穴が設けられる。ちなみに、支持部材１に棚掛けの突起を押出成形で設けることができる。
【００１３】
立格子３は、これにもアルミ押出形材が使用され、矩形断面の中空であって、前面が山形傾斜に形成される。そして、前記したようにリベットにより支持部材１に対して固定される。なお、この立格子３の上下両端には、合成樹脂のキャップ１３，１３が嵌着される。
【００１４】
図３は、この考案を理解するために提示する他の実施例であって、部屋Rの窓際の中央を円中心の仮想部１５とすると、その円弧に沿って支持部材１がアール曲げに形成され、これに対して板状に形成された立格子３がリベットにより固着され、各立格子３は、円弧の中心仮想部１５を通る視覚線１０と平行であり、仮想部１５から見ると立格子３，３間が開放している。
【００１５】
そこで、居住者が窓際において仮想部１５の近くに居るときには、面格子Pの全周において透光空間６として開いているために、前面開放のように外を眺める快感を得ることができる。
【００１６】
また、障子（図示しない）のクレセント１７が窓の巾中央部に位置するから、そこまでの距離Dが長いために、侵入者は立格子３，３の間から手を差し入れることができても容易にクレセント１７を操作するに至らない。したがって侵入は確実に防止できる。
【符号の説明】
【００１７】
P  面格子
１  支持部材
３  立格子
６  間隔
７  取付部
１０  視覚線
１５  仮想部
【図１】
0003216470.tif 000003
【図２】
0003216470.tif 000004
【図３】
0003216470.tif 000005
(57)【要約】      （修正有）【課題】吸湿性及び吸熱性により、足底と接触する時に乾き心地が達成できる通気性靴マットを提供する。【解決手段】通気性靴マット１は、通気表層１１が支持底層１２と複合して形成され、支持底層は発泡体の一体成型により形成された格子梁枠網である。格子梁枠は、整然とした、互いに連結された多數の十字型支持ユニットによって構成される。十字型支持ユニットは、横方向および縦方向の交点の中央点を支持本体１２１１とし、支持本体から横方向および縦方向に斜めに延びて側壁１２１２を形成する。支持本体を厚く支えることで全体強度を増加させ、長期の被圧による歪みを迴避できる。また、隣り合う十字型支持ユニットの周りに中空網目１２２が形成されることにより、通気性靴マット上下の空気が流通する。【選択図】図２
0003216278.tif 000002
【実用新案登録請求の範囲】
【請求項１】
通気表層と支持底層が複合して形成された通気性靴マットであり、前記支持底層は発泡体の一体成型により格子梁枠網を形成し、前記格子梁枠は相互に連結した多數の支持ユニットで構成され、
前記支持ユニットの中央点を支持本体とし、前記支持本体から斜めに側壁に伸ばし、隣り合う前記支持ユニットの囲みに網目を形成することを特徴とする通気性靴マット。
【考案の詳細な説明】
【技術分野】
【０００１】
本考案は靴マット、特に通気性靴マットに関する。
【背景技術】
【０００２】
靴マットは快適性と支持性の2つの機能を備えなければならない。快適性とは足底との接觸時の軽い密着感であり、支持性は足底に弾性緩和を與えることである。
昨今、靴マットは通気機能を備えており、靴内空気の流通を高めることで、靴内濕熱の不快感を低めている。そのため、各種の通気性靴マットはそれによって生まれる。
【０００３】
台湾実用新案登録第M551846号は、上下の2つのパッドが対応して結合することによって、通気性のある靴マット本体を形成することを開示している。下パッドかかと部にチャンバーを設け、チャンバーに弾性部材を置き、チャンバーに通気管で足趾部へ接続する。足趾部の位置には通気管と貫通する多數の排気口が設けられており、走行時にはチャンバーへの踏圧により、靴マット本体の排気口に対流空気を発生する。
【０００４】
台湾実用新案登録第M542963号も、複数中空状のプラスチックストリップがもつれ合って結ぶ通気性靴マット本体を開示している。そして、該複数のプラスチックストリップの間に相互が溶接固定される接続部位を形成し、この接続部位以外の所に、複数のプラスチックストリップの間の任意の方向に不等なサイズの貫通孔が形成される。
【０００５】
台湾実用新案登録第M531153号は更に1種の複合式靴マットを開示している。該複合式靴マットは表層と底層を含み、表層は発泡体が発泡して泡綿体になる。そして泡綿体を裁断して多數の薄片になり、各シートの表面は通気面と密着して圧成され、表層半成品となる。底層は発泡体が発泡して泡綿体になり、更に多數の薄片に裁斷し、各薄片はパンチまたはノーパンチで底層の半製品を形成する。この表層半製品と底層半製品とを互いに密着させて複合式靴マットを作り、この複合式靴パットの吸濕性及び吸熱性により、足底と接觸する時に乾き心地が達成できる。
【先行技術文献】
【特許文献】
【０００６】
【特許文献１】台湾実用新案登録第M551846号
【特許文献２】台湾実用新案登録第M542963号
【特許文献３】台湾実用新案登録第M531153号
【考案の概要】
【考案が解決しようとする課題】
【０００７】
前述の目的を達成するために、本考案の考案者は長年の製造経験を蓄積し、多方面から評価、考慮、試作と修正を行い、ついに通気表層と支持底層の複合した、通気性、支持性ともに優れている通気性靴マットを考案した。
【課題を解決するための手段】
【０００８】
上記の目的を達成するために、本考案は通気表層と支持底層とが複合して形成された通気性靴マットを提供する。この支持底部は発泡体の一体成型によりを格子梁枠網とする。このうち、格子梁枠は、整然とした、互いに連結された多數の十字型支持ユニットによって構成される。
【０００９】
隣り合う十字型支持ユニットの囲みが網目を形成する。靴マットが走行間に圧力を受けると、多數の十字型支持ユニットが構成する格子梁枠は緩圧の支持力を提供する。通行間で発生した濕った熱気は網目から下に流れこみ、格子梁枠と靴中底との間の隙間から抜け出し、靴内の空気と外気に対して対流する通気効果を達成する。
【考案の効果】
【００１０】
本考案の靴マットが走行中に圧力を受けると、多數の十字型支持ユニットで構成された格子梁枠は、緩やかな支持力を提供する。進行間で発生した濕った熱気は網目から下方へ流れこみ、格子梁枠と靴中底との間の隙間から抜け出し、靴内の空気と外界の空気との対流の通気効果を達成する効果を有する。
【図面の簡単な説明】
【００１１】
【図１】靴パットの底面および部分拡大図である。
【図２】A−Aハッチングの斷面図および部分拡大図である。
【考案を実施するための形態】
【００１２】
次に、本考案のその他の効果及び技術特徴についての説明に入る。本技術の熟知者は、以下の説明を読めば本考案の実現が可能となる。
【００１３】
本考案の好ましい実施形態の構造を示す図1乃至図2を参照する。
本考案は一種の通気性靴マット１であり通気表層11が支持底層12と複合して形成され、前記支持底層12は発泡体の一体成型により形成された格子梁枠網である。
前記格子梁枠は、整然とした、互いに連結された多數の十字型支持ユニット121によって構成される。前記十字型支持ユニット121は、横方向および縦方向の交點の中央點を支持本体1211とし、前記支持本体から横方向および縦方向に斜めに延びて側壁1212を形成する。
前記支持本体1211を厚く支えることで全体強度を増加させ、長期の被圧により歪みを迴避できる。また、隣り合う前記十字型支持ユニット121の周りに中空網目122が形成されることにより、通気性靴マット1上下の空気が流通する。通気性靴マット1が走行間に圧されると、多數の前記十字型支持ユニット121からなる格子梁枠は、緩圧の支持力を提供する。
濕った熱気は、前記中空網目122によって下方へ流れこみ、前記支持本体1211と靴中底(図に示されていない)との間の隙間を通り抜ける。すなわち、前記側壁1212が受け継がれたコーナー1213は、靴の外へ押し出され、靴内空気と外気とが対流する通気効果を達成する。
【００１４】
上記から分かるように、本考案で提供した通気性靴マットは金型により、発泡体の一体成型で成形され、製造工程が簡単であるばかりでなく、通気効果が非常に明らかで、実用新案の要件を満たしている。しかしながら、上記の説明は、本考案の好ましい実施形態のみであり、実用新案請求項の範囲を制限するものではない。従って、本考案説明書及び図式内容による簡易修飾及び等価構造変化は、本考案の請求項の範囲内に含め、記載すべきである。
【符号の説明】
【００１５】
1  通気性靴マット
11  通気表層
12  支持底層
121  支持ユニット
1211  支持本体
1212  側壁
1213  コーナー
122    中空網目
【図１】
0003216278.tif 000003
【図２】
0003216278.tif 000004
(57)【要約】【課題】  洗面化粧する利用者が洗面化粧時に助援を必要とする場合助援者が利用者の傍で助援することが出来る洗面化粧台を提供する。【解決手段】  洗面化粧台本体の槽本体２の近傍の台板３の部分には切り込み部１が凹んだ状態で形成される。利用者が洗面化粧している時、助援者は切り込み部１に入る事により円滑，安全，確実に助援を行うことが出来る。【選択図】図２
0003216244.tif 000002
【実用新案登録請求の範囲】
【請求項１】
壁面に固定される取付部とこれから水平に伸延し前端に補強部を形成する台板と該台板のほぼ中央部に前記壁面側に向かって下り傾斜する底面を有し排水口を設ける凹状の槽本体とからなる単一又は各種形状の複数の洗面化粧台本体と前記槽本体内に水を供給する水栓とからなる洗面化粧台であって、前記槽本体の左右の前側には前記洗面化粧台を使用する利用者の助援をする助援者が入り込むことの出来る凹状の切り込み部が前記台板に形成されることを特徴とする洗面化粧台。
【請求項２】
前記洗面化粧台本体が人工大理石から形成されることを特徴とする請求項１に記載の洗面化粧台。
【考案の詳細な説明】
【技術分野】
【０００１】  本考案は洗面化粧を１人で使用するより助援者の助援を必要とする利用者が便利に利用出来、美観を伴うことの出来る洗面化粧台に関する。
【背景技術】
【０００２】  洗面化粧を１人でやるよりも助援者の助援が必要な洗面化粧台が利用者にとっては必要の場合も多いが従来技術では見出せない。但し、洗面化粧台に関する先行技術として「特許文献１」がある。
【先行技術文献】
【特許文献】
【０００３】
【特許文献１】第３０３６８０６号（図１）  この「特許文献１」の「第３０３６８０６号」の「洗面化粧台」は車椅子を利用している被介護人がそのままの姿勢で洗面化粧が出来るものであるが介護人が円滑，安全に被介護人を助援する形状のものではない。被介護人としては１人で洗面化粧が出来る場合もあるが助援者（介護人）の助援を必要とする場合も多い。しかしながら「特許文献１」にはその機能がなく、その他の先行技術においても認められない。
【考案の概要】
【考案が解決しようとする課題】
【０００４】  前記のように洗面化粧をする利用者の中には１人で洗面化粧が円滑に出来る人も居るか又は出来ない人も多い。この場合洗面化粧時に助援が必要であるが助援者が円滑に安全に助援出来る洗面化粧台が望まれる。また、施設等においては単一でなく複数人が同時に洗面化粧する場合も多く、助援者も複数同時に必要の場合もあるが従来ではそのような形態の洗面化粧台はなく、利用者から要請されている。また、助援者も円滑，安全に、かつ確実に助援出来る形態の洗面化粧台が望まれている。また、洗面化粧台としては美観があることも望ましい。【０００５】  本考案は以上の要請に答えるべく考案されたもので単数又は複数の洗面化粧台本体からなり、助援を必要とするための助援者が円滑，安全，確実に助援が出来るような形態からなる洗面化粧台であり、美観を伴うものからなる洗面化粧台を提案することを目的とする。
【課題を解決するための手段】
【０００６】  本考案は、以上の目的を達成するために考案されたものであり、請求項１の考案は、壁面に固定される取付部とこれから水平に伸延し前端に補強部を形成する台板と該台板のほぼ中央部に前記壁面側に向かって下り傾斜する底面を有し排水口を設ける凹状の槽本体とからなる単一又は各種形状の複数の洗面化粧台本体と前記槽本体内に水を供給する水栓とからなる洗面化粧台であって、前記槽本体の左右の前側には前記洗面化粧台を使用する利用者の助援をする助援者が入り込むことの出来る凹状の切り込み部が前記台板に形成されることを特徴とする。【０００７】  また、請求項２の考案は、前記洗面化粧台本体が人工大理石から形成されることを特徴とする。
【考案の効果】
【０００８】  本考案の請求項１の洗面化粧台によれば、助援を行う助援者は台板に槽本体の近くに形成される切り込み部に入ることにより洗面化粧をしている利用者への助援を円滑，安全，確実に行うことが出来る。また、利用者が単一でなく複数人で同時に助援を行うことが出来る。【０００９】  また、請求項２の洗面化粧台によれば、本考案の洗面化粧台本体は全体が人工大理石からなり美観の向上と生産性の向上を図ることが出来る。
【図面の簡単な説明】
【００１０】
【図１】  本考案の単一形態の洗面化粧台を示す平面図（ａ）と平面図のＡ−Ａ線断面図（ｂ）。
【図２】  本考案の複数人で同時に利用が出来る洗面化粧台を示す平面図。
【考案を実施するための形態】
【００１１】  以下、本考案の洗面化粧台の実施の形態を図面に基づいて詳述する。
【実施例１】
【００１２】  実施例１は単一の利用者が使用するための洗面化粧台を示す。
図１に示すように洗面化粧台本体は、壁９に固定される取付部５と取付部５から水平に伸延する台板３と台板３のほぼ中央に壁９側に向かって傾斜する底面４を示し凹状に形成され排水口７を有する槽本体２とからなる。なお、台板３の先端は下に向かって曲がっている補強部６が形成される。また、台板３には水栓８が設けられている。【００１３】  図１に示すように台板３の槽本体２の左右の前側には壁９側に向かって凹状に凹む切り込み部１が形成される。この切り込み部１は助援者（介護人）の入り込むためのスペースであり、洗面化粧をしている利用者の助援を行うためにこの切り込み部に助援者は入り込んで助援を行う。切り込み部１は入り込むことにより助援が円滑，安全，確実に行われる。なお、助援は大人の利用者に限らず子供に対しても同様に行われる。
【実施例２】
【００１４】  実施例２は複数の利用者が同時に洗面化粧が出来る洗面化粧台を示すものでこの場合にも夫々の槽本体２に切り込み部１が形成される形態を示している。この洗面化粧台によれば複数の助援者が入る切り込み部１が夫々の槽本体２の近傍に形成されているため複数の利用者が洗面化粧しても助援を円滑，安全，確実に行うことが出来る。また、図示のようにこの場合の槽本体２の形態は異なったものでもよく、また、同一のものであってもよい。また、切り込み部１はある程度の広さがあり助援者も洗面化粧する人の内容により適宜変更することが容易に出来る。【００１５】  本考案の内容は以上のものからなるがその内容は以上のものに限定するものではなく、同一技術的内容のものが適用されることは勿論である。なお、スタンド部については一般成型で行う場合と、別物を接合接着等の接合体によって接合して形成する場合であり、これ等は同一技術的範疇に入るものと思料する。
【産業上の利用可能性】
【００１６】  本考案は単一又は複数の利用者とこれに対応する助援者が利用出来るものであり、槽本体の形態も任意のものでよくその利用範囲は極めて広い。
【符号の説明】
【００１７】  １  切り込み部
２  槽本体
３  台板
４  底面
５  取付部
６  補強部
７  排水口
８  水栓
９  壁
【図１】
0003216244.tif 000003
【図２】
0003216244.tif 000004
(57)【要約】【課題】  設置後の管理や費用のランニングコストが抑えられ、急勾配な水路が存在する全国の中山間過疎地域を農業および農産品の加工施設などへの電力供給として好適な揚水装置を提供する。【解決手段】  本考案の揚水装置Ａは、高低差を有する水路Ｂの上流に取水口１を設け、この取水口１に流体を導く導水管２の一端を設け、この導水管２の他端に前記流体を上昇および落下させる堰３を設け、この堰３を落下する前記流体にて発電を行うことができるものである。【選択図】図１
0003216248.tif 000002
【実用新案登録請求の範囲】
【請求項１】
高低差を有する水路の上流に取水口を設け、この取水口に流体を導く導水管の一端を設け、この導水管の他端に流体を上昇および落下させる堰を設け、この堰を落下する液体にて発電を行うことができることを特徴とする揚水装置。
【請求項２】
前記堰を直列に複数個設けることを特徴とする請求項１に記載した揚水装置。
【考案の詳細な説明】
【技術分野】
【０００１】  本考案は、用水路や河川等の水路の高低差（落差、勾配差）を利用する揚水装置に関するものである。
【背景技術】
【０００２】  例えば、水路の高低差を利用して中小水力発電を行う揚水装置としては、水路の放水口に流体の溜池を作り、この流体を電力非使用時にポンプで汲み上げたり、あるいは、サイフォンの原理を用いたりする構成の揚水装置が知られており（例えば、下記特許文献参照）、数から数十キロワットのマイクロ水力発電用として用いられている。
【先行技術文献】
【特許文献】
【０００３】
【特許文献１】特開２０１４−０２００８９号広報
【考案の概要】
【考案が解決しようとする課題】
【０００４】  斯かる揚水装置は、ポンプで汲み上げる場合では相当な電力が必要となり、あるいは、サイフォンの原理を用いる場合では流域地形の選定や高価な建築費が必要であった。【０００５】  本考案は、このような従来の問題を解決するものであり、高低差を有する水路があれば適用することができると共に、大規模な設備などを必要とすることなく設置することができる揚水装置に関するものである。
【課題を解決するための手段】
【０００６】  本考案に係る揚水装置は、高低差を有する水路の上流に取水口を設け、この取水口に流体を導く導水管の一端を設け、この導水管の他端に流体を上昇および落下させる堰を設け、この堰を落下する流体にて発電を行うことができるものである。
【考案の効果】
【０００７】  本考案の揚水装置は、設置後の管理や費用のランニングコストが抑えられるもので、急勾配な水路が存在する全国の中山間過疎地域を農業および農産品の加工施設などへの電力提供用として好適である。
【図面の簡単な説明】
【０００８】
【図１】  本考案の実施例の構成を示す断面図である。
【図２】  本考案の他の実施例の構成を示す断面である。
【考案を実施するための形態】
【０００９】  本考案に係る揚水装置は、高低差を有する水路の上流に取水口を設け、この取水口に流体を導く導水管の一端を設け、この導水管の他端に流体を上昇および落下させる堰を設け、この堰を落下する流体にて発電を行うことができるものである。
【実施例】
【００１０】  以下、添付した図１に記載の実施例に基づいて説明すると、本考案の揚水装置Ａは、高低差を有する水路Ｂの上流に取水口１を設け、この取水口１に流体を導く導水管２の一端を設け、この導水管２の他端に流体を上昇および落下させる堰３を設け、この堰３を落下する液体にて発電を行うものである。【００１１】  堰３は、導水管２の前記他端から前記流体を上昇させる用水管４と、この楊水管４につながり前記流体を下降させる落下水圧管５とを有しており、落下水圧管５からの前記流体の力によって水車など電力変換機構を利用する発電機Ｃを設置することができる。【００１２】  本考案者のなどの実験によれば、使用水量が約毎秒０．３立方メートル、水路Ｂの取水口１と堰３の高低差が１００メートル当たり４メートル前後で、導水管２の全長が約１５０メートル、有効落差が５メートルの場合、発電機Ｃで８．８キロワットの電力を発電することができた。【００１３】  図２は、他の実施例を示しており、図１で説明した堰３が直列に３個設けてある。【００１４】  斯かる実施例では、堰３の間隔を約１１５メートルとしたところ、堰３の発電機Ｃの合計で２９キロワットの電力を発電することができた。【００１５】  このように、本考案は、輸入による資源（石油や石炭など）に依存しない発電を可能にするもので、日本の地形に有益な発電を可能とするものである。【００１６】  特に、利用の少ない河川や水路への設置も送水管２と堰３の設置で済むことから、設置後の管理や費用のランニングコストが抑えられるもので、急勾配な水路が存在する全国の中山間過疎地域を農業および農産品の加工施設などへの電力供給用として好適である。【００１７】  また、太陽発電や風力発電などと比べて、自然の影響を受けにくく、比較的安定した発電を行うことができるものである。
【符号の説明】
【００１８】    Ａ  揚水装置
１  取水口
２  導水管
３  堰
４  楊水管
５  落下水圧管
Ｂ  水路
Ｃ  発電機
【図１】
0003216248.tif 000003
【図２】
0003216248.tif 000004
(57)【要約】      （修正有）【課題】作業用台車と作業台を組み合わせ、移動時の接触事故防止、作業時の転落転倒防止、作業工具等の落下防止、小スペースを実現し、作業周辺の動線を確保する台車機能付小スペース作業簡易足場を提供する。【解決手段】作業用台車については、物入れ構造として前面部分に扉を設けて小道具及び資材等を収納可能とし、後方部分には、昇降用ステップを設け、又、移動できる様にロック付キャスターを設け、転倒防止用のアウトリガーも設けた形状とし、作業台については、滑り止め付の作業ステージと転落防止手摺及びチェーンを設けた形状とする。上部の作業台と下部の作業台車は４角の柱部分にて差込構造とする。【選択図】図１−３
0003216214.tif 000002
【実用新案登録請求の範囲】
【請求項１】
作業用の台車と作業台を組み合わせた台車機能付小スペース作業簡易足場
【考案の詳細な説明】
【技術分野】
【０００１】本考案は、台車と足場を組合せ高所作業にも安全に対応できる台車機能付小スペース作業簡易足場に関するものである。
【背景技術】
【０００２】従来の室内作業では脚立か立ち馬などで作業していた。
【考案の概要】
【考案が解決しようとする課題】
【０００５】従来の簡易足場  脚立やたち馬などでは足場と小道具などの運搬時一人では危険であった。脚立等が長いので壁や第３者にぶつける危険があった。
脚立作業は転倒、転落事故が多い。手摺など無く作業には不向き。
立ち馬の作業は床面積を多く使う為、他の作業や使用している人など動線を塞いでしまう場合が多い。
【課題を解決するための手段】
【０００６】本考案は、台車機能付小スペース作業簡易足場は作業員の転落転倒防止を考え安全に作業できる作業ステージ、手摺を取り付けた、また小道具及び資材を一緒に移動できる台車機能を設け運搬時と作業時の問題を解決した。
またコンパクト化をはかり移動時の小回り、作業時の少スペース化を実現させた。
作業高さの変更にあわせたスペーサー（追加台）を設けることにより作業員の身長、作業高さの変化に合わせられるようにした。
【考案の効果】
【０００７】前述の様に従来の簡易足場より移動時及び作業時  作業員も周囲の人にも安全な環境が得られる
【図面の簡単な説明】
【０００８】
【図１−１】本考案の台車機能付小スペース作業簡易足場の平面図である。
【図１−２】台車機能付小スペース作業簡易足場  正面図（断面図）である。
【図１−３】台車機能付小スペース作業簡易足場  側面図（断面図）である。
【図１−４】台車機能付小スペース作業簡易足場  後面図（断面図）である。
【図１−５】台車機能付小スペース作業簡易足場イメージ図（前斜図）である。
【図１−６】台車機能付小スペース作業簡易足場イメージ図（後斜図）である。
【図２−１】台車機能付小スペース作業簡易足場  下部台車部図である。
【図２−２】台車機能付小スペース作業簡易足場  上部作業台部図である。
【図２−３】台車機能付小スペース作業簡易足場  中間追加台部図である。
【図２−４】台車機能付小スペース作業簡易足場  下部イメージ図である。
【図２−５】台車機能付小スペース作業簡易足場  上部イメージ図である。
【図２−６】台車機能付小スペース作業簡易足場  中間台イメージ図である。
【考案を実施するための形態】
【０００９】一般的な出入口での移動と作業台としてのスペースを考え平面的な寸法を６００ｍｍ×６００ｍｍ程度とする。
アウトリガーは移動時邪魔になるので収納式とする。
下部の台車部は前面に扉を取り付けて搬送物の落下を防ぐ
後方面にはステップを設けて昇降しやすいようにする。
中間台は現場に合わせた高さを調整できるように用意する。
上部作業台には手摺を設け転落防止を図る。
移動時のタイヤはロック付を採用し使用時はロックすると共にアウトリガーを張り出して転倒防止を図るようにする。
【実施例】
【００１０】以下、添付図に従って実施例を説明する。
図２−１の台車には移動用のロック機能付車輪、転倒防止用のアウトリガーが取り付けられている。
図２−２の上部作業台には滑り止めのついた作業ステージと手摺が取り付けられている。
図２−３の中間台（ジョイント嵩上げ）は現場にあわせた高さにできるよう数種の高さを用意して適切な作業高さになるよう調整する。
図１−１は平面図で設置したときの状況を表します。
使用時は必ず下部台車のロックを行ってからアウトリガーを張り出して転倒防止を講じます。
図１−２は上下組み合わせた正面図
下部物入れには扉を設けて運搬移動時の物品落下を防止します。
上部には手摺が設けてあり作業員の転落防止を図っています。
移動中はアウトリガーが収納できるようにしてあるので一般的な扉の寸法８００ｍｍ×２０００ｍｍでも通過できる６００ｍｍ×１６５０ｍｍ程度の正面寸法とした。
図１−３の立面図（側面）でわかるように手摺の下部は作業台から工具等の落下が無いように３００ｍｍ程度の幅木を３面設けておりその箇所に安全注意喚起の表示などを掲示できるようにした。
図１−６の後方斜めイメージ図  手摺、幅木は３方にして後方側から昇降が出来る様にステップを設けた。
【図１−１】
0003216214.tif 000003
【図１−２】
0003216214.tif 000004
【図１−３】
0003216214.tif 000005
【図１−４】
0003216214.tif 000006
【図１−５】
0003216214.tif 000007
【図１−６】
0003216214.tif 000008
【図２−１】
0003216214.tif 000009
【図２−２】
0003216214.tif 000010
【図２−３】
0003216214.tif 000011
【図２−４】
0003216214.tif 000012
【図２−５】
0003216214.tif 000013
【図２−６】
0003216214.tif 000014
【手続補正書】
【提出日】平成30年3月2日(2018.3.2)
【手続補正１】
【補正対象書類名】実用新案登録請求の範囲
【補正対象項目名】全文
【補正方法】変更
【補正の内容】
【実用新案登録請求の範囲】
【請求項１】
作業用台車と作業台を組み合わせた台車機能付小スペース作業簡易足場
作業用台車については、物入れ構造として前面部分に扉を設けて小道具及び資材等を収納可能とし、後方部分には、昇降用ステップを設け又、移動できる様にロック付キャスターを設け、転倒防止用のアウトリガーも設けた形状とし、作業台については、滑り止め付の作業ステージと転落防止手摺及びチェーンを設けた形状とした
上部の作業台と下部の作業台車は４角の柱部分にて差込構造として台車機能付小スペース作業簡易足場とした。
(57)【要約】      （修正有）【課題】ずり落ちにくく、テレビから外した際にコンパクトに収納できるテレビ用カバーを提供する。【解決手段】モニター画面に相応する繊維、またはシリコン、またはビニル素材からなる布状体１の上部から両端、または上部から下辺部を繋ぐ、ベルト３、紐、またはゴム紐が形成され、上記布状体１を巻き留めた状態を維持する帯状の連結部４を備え、ポケットを備え、上記布状体１をフックに引っ掛ける吊り部５が形成されたことを特徴とする。【選択図】図１
0003216240.tif 000002
【実用新案登録請求の範囲】
【請求項１】
モニター画面に相応する大きさを有する、繊維、またはシリコン、またはビニル素材からなる布状態の上部から両端、または上部から下辺部を繋ぐ、ベルト、紐、またはゴム紐が形成されていることを特徴とするテレビ用カバー
【請求項２】
前記布状体に、紐、またはゴム紐などの端部及び他方の端部に互いを連結させることが可能な接着テープ、またはベルト、またはボタンとループなどの止め具をそれぞれに固着させた帯状の紐で、かつ
布状態を巻き留めた状態で、帯状の紐、またはゴム紐などを環状連結させ、布状態を束ねた状態を維持させることが可能な帯状の連結部を備えることを特徴とする請求項１記載のテレビ用カバー
【請求項３】
前記布状体に、ループまたは、リング状の吊り部が形成された請求項１または請求項２に記載のテレビ用カバー
【請求項４】
前記布状体に、ファスナー、またはボタン付きのふたなどの開閉可能な開口部を有するポケットで、かつポケット自体が、布状態を収納させる袋になっているポケットが形成された請求項１から請求項３のうちのいずれか１項に記載のテレビ用カバー
【請求項５】
前記布状体に、リモコン、雑談などが入る大きさを有するポケットが形成された請求項１から請求項４のうちのいずれか１項に記載のテレビ用カバー
【考案の詳細な説明】
【技術分野】
【０００１】本考案は、テレビを見ていない特に、布状体をテレビに固定し、テレビ画面を見たい時に外して、コンパクトに収納できるようにするためのテレビ用のカバーに関するものである。
【技術背景】
【０００２】一世帯あたり約２台のテレビが置かれ、それらのほとんどが薄型テレビで、欠かすことのできないアイテムで、ある一方で電源を切ると同じような真っ暗な板状の物体となる。
【０００３】従来の布などのテレビの装飾具としては、布をそのまま引っ掛けるか、上部を折り曲げ、布の重なる部分の両端にゴムをつけるか縫い付け、布の上部をテレビに被せて取り付ける構造で構成されている。
【０００４】しかしながら、布をそのまま引っ掛けると前にずり落ち、折り曲げ端部をゴムで留めているものだと、上部に向かい細くなる形状のテレビモニターで使用すると上にずり上がって外れてしまう欠点があった。
【０００５】テレビから外した時に、床に直に置くと、布にしわができ、埃や汚れがついてしまう欠点があった。
【考案の概要】
【考案が解決しようとする課題】
【０００６】本考案は、以上のような従来の欠点に鑑み、取り付けが簡単でずり落ちにくく、コンパクトに収納できるテレビ用カバーを提供する事を目的としている。
【課題を解決するための手段】
【０００７】上記目的を達成するために、本考案はテレビのモニター画面を覆うことのできる大きさを有する繊維またはシリコン、またはビニル素材からなる布状体の布状体の上部から両端、または上部から下辺部にテレビ本体に引っ掛け上にずり上がらないよう固定するベルト、またはひも、またはゴム紐が形成され【０００８】帯状の紐の端部と他方の端部に互いを連結する両面接着テープ、またはボタン等を固着した、布状態を巻き留めた状態で連結することで、コンパクトかつシワがつきにくい束ねた状態で維持する事を可能とする連結部を備え
ポケットにリモコンなどをしまえる収納機能を備え【０００９】ループ、またはリング状の吊り部を備えているので、フックに引っ掛ける事が出来るので、地面に置いた時に比べ、ホコリや汚れがつくことを防止する効果が得られる。
【考案の効果】
【００１０】以上の説明から明らかなように、本考案では次に列挙する効果が得られる。
（１）布を被せるだけでなく、上部から両端、または下辺部に繋がるベルト、ゴム紐が直接テレビを固定するので、布が外れるリスクが軽減される。【００１１】（２）巻いた状態で固定できコンパクトにすることができる。または、ポケット収納によってコンパクトにすることができる。
したがって、テレビを見ていてテレビ用スタンド装飾パネルを使っていないときに、場所をあまりとらないようにできる。【００１２】（３）ループ、またはリング状の吊り部があることでフックに掛けることができる。
したがって、地面に置くよりもホコリや汚れがつく危険を軽減するという効果が得られる。
（４）リモコンや雑談を収納するポケットに必要なものをまとめられる。
【図面の簡単な説明】
【００１３】
【図１】本考案を実施するための最良の形態のテレビ用カバーの裏面図であ          る
【図２】参考として本考案に係るテレビ用カバー束ねフックにかけた状態を表した斜視図である
【図３】参考として本考案に係るテレビ用カバーをテレビに設置した正面図である
【考案を実施するための形態】
【００１４】以下、本考案の実施例の形態を図に基づいて説明する。
【実施例１】
【００１５】図１は、本考案の全体図であって、テレビモニターと接する面を上にして広げた状態である。【００１６】図２は、板状体を束ねフックにかけた状態の図である。この状態であれば、テレビから外れた時も場所を取らず、地面に置いた状態に比べホコリや汚れがつくのを軽減できる。
【産業上の利用可能性】
【００１７】寝る時間や、勉強時など、子どもにテレビを見せたくない時に、簡単に取り外しが可能なので、お子さんを持つ親御さんからの需要が見込まれる。
【符号の説明】
【００１８】（１）布状体
（２）テレビモニター
（３）本体に引っ掛け固定するベルト
（４）帯状の連結部
（５）吊り部
（６）フック
【図１】
0003216240.tif 000003
【図２】
0003216240.tif 000004
【図３】
0003216240.tif 000005